(57)【要約】【課題】検像装置において検像処理を実施不可能な場合であっても、その後の処理を円滑に行う。【解決手段】通常は、モダリティ１０により生成された医用画像データを検像装置２０に送信し、検像装置２０において検像処理を行い、検像処理後の医用画像データをＰＡＣＳ３０により保存・管理する医用画像システム１００において、検像装置２０が故障中等のため検像装置２０において検像処理を実施不可能な場合には、モダリティ１０から直接ＰＡＣＳ３０に対して医用画像データを送信し、検像処理を実施していない状態で医用画像データをＰＡＣＳ３０に保存する。この際、医用画像データには、検像処理が未実施であることを示す情報が付帯される。【選択図】図１
2008228898.tif 000002
【特許請求の範囲】
【請求項１】
医用画像を生成する画像生成装置、前記医用画像を表示手段に表示させ検像処理に供する検像装置、及び、前記医用画像を保存し管理する画像管理装置が、それぞれが有する通信手段を介してネットワークで接続されている医用画像システムであって、
前記画像生成装置は、前記検像装置に対して前記医用画像を送信させ、前記検像装置において検像処理を実施不可能な場合には、前記画像管理装置に対して前記医用画像を送信させる制御手段を備え、
前記画像管理装置は、前記画像生成装置から送信された医用画像を保存する保存手段を備えた医用画像システム。
【請求項２】
前記画像生成装置の制御手段は、前記画像管理装置に対して前記医用画像を送信させる際に、当該医用画像に検像処理が未実施であることを示す情報を付帯させる請求項１に記載の医用画像システム。
【請求項３】
前記画像管理装置は、前記保存手段に保存されている医用画像又は医用画像の一覧を表示手段に表示させ、当該医用画像について検像処理が未実施である場合には、前記医用画像又は医用画像の一覧に検像処理が未実施であることを表示させる表示制御手段を備えた請求項２に記載の医用画像システム。
【請求項４】
前記画像管理装置は、前記保存手段に検像処理が未実施の医用画像が保存されている場合に、前記検像装置において検像処理を実施可能となったときには、前記検像装置に対して前記検像処理が未実施の医用画像を送信させる制御手段を備え、
前記検像装置は、前記画像管理装置から送信された検像処理が未実施の医用画像を前記検像装置の表示手段に表示させ検像処理に供した後、前記画像管理装置に対して検像処理後の医用画像を送信させる制御手段を備えた請求項２又は３に記載の医用画像システム。
【請求項５】
医用画像を生成する画像生成装置、前記医用画像を表示手段に表示させ検像処理に供する検像装置、及び、前記医用画像を保存し管理する画像管理装置が、それぞれが有する通信手段を介してネットワークで接続されている医用画像システムであって、
前記画像生成装置は、前記検像装置に対して前記医用画像を送信させる制御手段を備え、
前記検像装置は、前記画像生成装置から受信した医用画像の検像処理を実施不可能な場合には、前記画像管理装置に対して前記医用画像を送信させる制御手段を備え、
前記画像管理装置は、前記検像装置から送信された医用画像を保存する保存手段を備えた医用画像システム。
【請求項６】
前記検像装置の制御手段は、前記画像管理装置に対して検像処理が未実施の医用画像を送信させる際に、当該医用画像に検像処理が未実施であることを示す情報を付帯させる請求項５に記載の医用画像システム。
【請求項７】
前記画像管理装置は、前記保存手段に保存されている医用画像又は医用画像の一覧を表示手段に表示させ、当該医用画像について検像処理が未実施である場合には、前記医用画像又は医用画像の一覧に検像処理が未実施であることを表示させる表示制御手段を備えた請求項６に記載の医用画像システム。
【請求項８】
前記画像管理装置は、前記保存手段に検像処理が未実施の医用画像が保存されている場合に、前記検像装置において検像処理を実施可能となったときには、前記検像装置に対して前記検像処理が未実施の医用画像を送信させる制御手段を備え、
前記検像装置の制御手段は、前記画像管理装置から送信された検像処理が未実施の医用画像を前記検像装置の表示手段に表示させ検像処理に供した後、前記画像管理装置に対して検像処理後の医用画像を送信させる請求項６又は７に記載の医用画像システム。
【請求項９】
前記検像装置は、前記画像生成装置から受信した医用画像を一時的に保存する一時保存手段を備え、
前記画像管理装置は、前記保存手段に検像処理が未実施の医用画像が保存されている場合に、前記検像装置において検像処理を実施可能となったときには、前記検像装置に対して前記検像処理が未実施の医用画像の検像依頼を送信させる制御手段を備え、
前記検像装置の制御手段は、前記画像管理装置から送信された検像依頼に基づいて、前記一時保存手段から検像処理が未実施の医用画像を読み出し、前記検像装置の表示手段に表示させ検像処理に供した後、前記画像管理装置に対して検像処理後の医用画像を送信させる請求項６又は７に記載の医用画像システム。
【請求項１０】
医用画像を生成する画像生成装置、前記医用画像を表示手段に表示させ検像処理に供する検像装置、及び、前記医用画像を保存し管理する画像管理装置が、それぞれが有する通信手段を介してネットワークで接続されている医用画像システムにおける画像処理方法であって、
前記画像生成装置から前記検像装置に対して前記医用画像を送信し、前記検像装置において検像処理を実施不可能な場合には、前記画像生成装置から前記画像管理装置に対して前記医用画像を送信する画像処理方法。
【請求項１１】
医用画像を生成する画像生成装置、前記医用画像を表示手段に表示させ検像処理に供する検像装置、及び、前記医用画像を保存し管理する画像管理装置が、それぞれが有する通信手段を介してネットワークで接続されている医用画像システムにおける画像処理方法であって、
前記画像生成装置から前記検像装置に対して前記医用画像を送信し、前記検像装置において前記画像生成装置から受信した医用画像の検像処理を実施不可能な場合には、前記検像装置から前記画像管理装置に対して前記医用画像を送信する画像処理方法。
【発明の詳細な説明】
【技術分野】
【０００１】
本発明は、医用画像システム及び画像処理方法に関し、特に、画像生成装置により生成された医用画像を診断用画像として提供する医用画像システム及び画像処理方法に関する。
【背景技術】
【０００２】
医療の分野では、患者を撮影した医用画像のデジタル化が実現されており、ＣＲ（Computed Radiography）装置、ＣＴ（Computed Tomography）装置、ＭＲＩ（Magnetic Resonance Imaging）装置等の各種画像生成装置（モダリティ）により撮影され、デジタル化された医用画像は、患者情報や検査情報等の付帯情報とともにＰＡＣＳ（Picture Archiving and Communication System）に保存され、管理されている。
【０００３】
具体的には、ＨＩＳ（Hospital Information System：病院情報システム）やＲＩＳ（Radiological Information System：放射線情報システム）から患者情報や検査情報を含むオーダ情報がモダリティに送信され、モダリティは、撮影技師の操作に従ってそのオーダ情報に基づいた撮影を行う。そして、その撮影によって得られた医用画像を、ＤＩＣＯＭ（Digital Imaging and Communications in Medicine）規格に基づいたデータ形式で生成した後に、ＰＡＣＳに転送する。
【０００４】
ＰＡＣＳに保存された医用画像は医師による診断に用いられるため、大規模な病院では検像装置を設け、検像装置において医用画像及びその付帯情報を表示させ、モダリティにより生成された医用画像がオーダ情報通りのものであるか、診断に適した画質であるか、付帯情報が正しいか等を確認した後に、医用画像をＰＡＣＳに保存している。
【０００５】
このように、モダリティから検像装置に医用画像を送信し、検像処理後の医用画像をＰＡＣＳに保存する医用画像システムでは、例えば、検像装置が故障等により停止している場合には、モダリティから検像装置へ画像を送信することができず、その結果、ＰＡＣＳへ画像を送信することもできなくなり、その後の読影・診断作業ができなくなってしまう。また、検像という行為自体、専門性が要求される行為であるため、検像装置が機能していたとしても、検像者が休暇中等で作業ができない場合にも同様の問題が生じ得る。
【０００６】
そこで、検像装置を複数台設置し、そのうちの一つをマスター、その他をスレーブとすることにより、一つの検像装置が故障している場合であっても検像機能を止めることなく、画像をＰＡＣＳへ送信可能とする技術が提案されている（特許文献１参照）。
【特許文献１】特開２００５−２１８７５８号公報
【発明の開示】
【発明が解決しようとする課題】
【０００７】
しかし、特許文献１に記載されている従来技術においては、最低２台の検像装置が必要であり、更に、マスター・スレーブ間のデータの送受信等の制御を行う必要があるので、制御が煩雑となり、コスト的にも高くなるという問題があった。
【０００８】
本発明は上記の従来技術における問題に鑑みてなされたものであって、検像装置において検像処理を実施不可能な場合であっても、その後の処理を円滑に行うことを課題とする。
【課題を解決するための手段】
【０００９】
上記課題を解決するために、請求項１に記載の発明は、医用画像を生成する画像生成装置、前記医用画像を表示手段に表示させ検像処理に供する検像装置、及び、前記医用画像を保存し管理する画像管理装置が、それぞれが有する通信手段を介してネットワークで接続されている医用画像システムであって、前記画像生成装置は、前記検像装置に対して前記医用画像を送信させ、前記検像装置において検像処理を実施不可能な場合には、前記画像管理装置に対して前記医用画像を送信させる制御手段を備え、前記画像管理装置は、前記画像生成装置から送信された医用画像を保存する保存手段を備える。
【００１０】
請求項２に記載の発明は、請求項１に記載の医用画像システムにおいて、前記画像生成装置の制御手段は、前記画像管理装置に対して前記医用画像を送信させる際に、当該医用画像に検像処理が未実施であることを示す情報を付帯させる。
【００１１】
請求項３に記載の発明は、請求項２に記載の医用画像システムにおいて、前記画像管理装置は、前記保存手段に保存されている医用画像又は医用画像の一覧を表示手段に表示させ、当該医用画像について検像処理が未実施である場合には、前記医用画像又は医用画像の一覧に検像処理が未実施であることを表示させる表示制御手段を備える。
【００１２】
請求項４に記載の発明は、請求項２又は３に記載の医用画像システムにおいて、前記画像管理装置は、前記保存手段に検像処理が未実施の医用画像が保存されている場合に、前記検像装置において検像処理を実施可能となったときには、前記検像装置に対して前記検像処理が未実施の医用画像を送信させる制御手段を備え、前記検像装置は、前記画像管理装置から送信された検像処理が未実施の医用画像を前記検像装置の表示手段に表示させ検像処理に供した後、前記画像管理装置に対して検像処理後の医用画像を送信させる制御手段を備える。
【００１３】
請求項５に記載の発明は、医用画像を生成する画像生成装置、前記医用画像を表示手段に表示させ検像処理に供する検像装置、及び、前記医用画像を保存し管理する画像管理装置が、それぞれが有する通信手段を介してネットワークで接続されている医用画像システムであって、前記画像生成装置は、前記検像装置に対して前記医用画像を送信させる制御手段を備え、前記検像装置は、前記画像生成装置から受信した医用画像の検像処理を実施不可能な場合には、前記画像管理装置に対して前記医用画像を送信させる制御手段を備え、前記画像管理装置は、前記検像装置から送信された医用画像を保存する保存手段を備える。
【００１４】
請求項６に記載の発明は、請求項５に記載の医用画像システムにおいて、前記検像装置の制御手段は、前記画像管理装置に対して検像処理が未実施の医用画像を送信させる際に、当該医用画像に検像処理が未実施であることを示す情報を付帯させる。
【００１５】
請求項７に記載の発明は、請求項６に記載の医用画像システムにおいて、前記画像管理装置は、前記保存手段に保存されている医用画像又は医用画像の一覧を表示手段に表示させ、当該医用画像について検像処理が未実施である場合には、前記医用画像又は医用画像の一覧に検像処理が未実施であることを表示させる表示制御手段を備える。
【００１６】
請求項８に記載の発明は、請求項６又は７に記載の医用画像システムにおいて、前記画像管理装置は、前記保存手段に検像処理が未実施の医用画像が保存されている場合に、前記検像装置において検像処理を実施可能となったときには、前記検像装置に対して前記検像処理が未実施の医用画像を送信させる制御手段を備え、前記検像装置の制御手段は、前記画像管理装置から送信された検像処理が未実施の医用画像を前記検像装置の表示手段に表示させ検像処理に供した後、前記画像管理装置に対して検像処理後の医用画像を送信させる。
【００１７】
請求項９に記載の発明は、請求項６又は７に記載の医用画像システムにおいて、前記検像装置は、前記画像生成装置から受信した医用画像を一時的に保存する一時保存手段を備え、前記画像管理装置は、前記保存手段に検像処理が未実施の医用画像が保存されている場合に、前記検像装置において検像処理を実施可能となったときには、前記検像装置に対して前記検像処理が未実施の医用画像の検像依頼を送信させる制御手段を備え、前記検像装置の制御手段は、前記画像管理装置から送信された検像依頼に基づいて、前記一時保存手段から検像処理が未実施の医用画像を読み出し、前記検像装置の表示手段に表示させ検像処理に供した後、前記画像管理装置に対して検像処理後の医用画像を送信させる。
【００１８】
請求項１０に記載の発明は、医用画像を生成する画像生成装置、前記医用画像を表示手段に表示させ検像処理に供する検像装置、及び、前記医用画像を保存し管理する画像管理装置が、それぞれが有する通信手段を介してネットワークで接続されている医用画像システムにおける画像処理方法であって、前記画像生成装置から前記検像装置に対して前記医用画像を送信し、前記検像装置において検像処理を実施不可能な場合には、前記画像生成装置から前記画像管理装置に対して前記医用画像を送信する。
【００１９】
請求項１１に記載の発明は、医用画像を生成する画像生成装置、前記医用画像を表示手段に表示させ検像処理に供する検像装置、及び、前記医用画像を保存し管理する画像管理装置が、それぞれが有する通信手段を介してネットワークで接続されている医用画像システムにおける画像処理方法であって、前記画像生成装置から前記検像装置に対して前記医用画像を送信し、前記検像装置において前記画像生成装置から受信した医用画像の検像処理を実施不可能な場合には、前記検像装置から前記画像管理装置に対して前記医用画像を送信する。
【発明の効果】
【００２０】
請求項１、１０に記載の発明によれば、検像装置において検像処理を実施不可能な場合であっても、その後の処理を円滑に行うことができる。
【００２１】
請求項２に記載の発明によれば、医用画像に付帯された情報に基づいて、検像処理が未実施であることを認識することができる。
【００２２】
請求項３に記載の発明によれば、検像処理が未実施の医用画像については、検像処理が未実施であることを表示するので、読影者に注意を喚起することができる。
【００２３】
請求項４に記載の発明によれば、検像装置において検像処理を実施可能となった場合に、画像管理装置から検像装置に検像処理が未実施の医用画像を送信し、検像処理を実施することができる。
【００２４】
請求項５、１１に記載の発明によれば、検像装置において検像処理を実施不可能な場合であっても、その後の処理を円滑に行うことができる。
【００２５】
請求項６に記載の発明によれば、医用画像に付帯された情報に基づいて、検像処理が未実施であることを認識することができる。
【００２６】
請求項７に記載の発明によれば、検像処理が未実施の医用画像については、検像処理が未実施であることを表示するので、読影者に注意を喚起することができる。
【００２７】
請求項８に記載の発明によれば、検像装置において検像処理を実施可能となった場合に、画像管理装置から検像装置に検像処理が未実施の医用画像を送信し、検像処理を実施することができる。
【００２８】
請求項９に記載の発明によれば、検像装置において検像処理を実施可能となった場合に、画像管理装置から検像装置に検像依頼を送信し、検像処理を実施することができる。
【発明を実施するための最良の形態】
【００２９】
以下、図面を参照して、本発明に係る医用画像システムの一実施形態について説明する。
図１に、医用画像システム１００のシステム構成を示す。図１に示すように、医用画像システム１００は、モダリティ１０と、検像装置２０と、ＰＡＣＳ３０と、ＲＩＳ４０とが通信ネットワークＮを介して接続され、それぞれがデータ通信可能に構成されている。
【００３０】
ＲＩＳ４０は、ＣＰＵ（Central Processing Unit）や記憶部、操作部、表示部、通信部等を有するコンピュータにより構成され、放射線科部門内における診療予約、診断結果のレポート、実績管理、材料在庫管理等の情報管理を行い、医用画像システム１００内の情報を統括的に管理するシステムである。
【００３１】
ＲＩＳ４０は、ＨＩＳから送信されたオーダ情報を受信し、オーダ情報をモダリティ１０に送信するとともに、検像装置２０へも同じオーダ情報を送信する。
【００３２】
オーダ情報とは、撮影や診察のオーダの内容を示すデータであり、患者情報、検査情報及びシリーズ情報を含む。患者情報は、撮影を行う患者の受付番号や氏名、患者ＩＤ、性別等の患者毎に設定されたデータである。検査情報は、医師がオーダした検査を識別する検査ＩＤ、検査部位、撮影方向及び体位といった検査条件を示すデータである。シリーズ情報は、一つの検査の中で生成されるモダリティ１０毎の一連の医用画像の単位（シリーズ）を示すシリーズＩＤやモダリティ１０の種別を含むデータである。
【００３３】
モダリティ１０は、患者を撮影し、医用画像の画像データ（以下、「医用画像データ」という。）を生成する画像生成装置である。モダリティ１０としては、ＣＲ装置、ＣＴ装置、ＭＲＩ装置、内視鏡装置、超音波診断装置等、様々な種類の医用画像を撮影するモダリティが適用可能である。
【００３４】
図２に、モダリティ１０の機能的構成を示す。図２に示すように、モダリティ１０は、ＣＰＵ１１、操作部１２、表示部１３、通信部１４、ＲＯＭ（Read Only Memory）１５、ＲＡＭ（Random Access Memory）１６、記憶部１７、撮影部１８等を備えて構成され、各部はバス１９により接続されている。
【００３５】
ＣＰＵ１１は、ＲＯＭ１５に記憶されている各種処理プログラムを読み出し、ＲＡＭ１６内に形成されたワークエリアに展開し、当該プログラムに従ってモダリティ１０の各部を統括的に制御する。
【００３６】
操作部１２は、各種設定キー、操作指示キー等を備え、キー操作により入力された指示信号をＣＰＵ１１に出力する。
【００３７】
表示部１３は、ＬＣＤ（Liquid Crystal Display）により構成され、ＣＰＵ１１から入力される表示信号の指示に従って、操作部１２からの入力指示やデータ等を表示する。
【００３８】
通信部１４は、ＬＡＮ（Local Area Network）アダプタ、ルータ、ＴＡ（Terminal Adapter）等を備え、通信ネットワークＮを介して接続された検像装置２０、ＰＡＣＳ３０、ＲＩＳ４０等の外部機器との間でデータの送受信を行う。
【００３９】
ＲＯＭ１５は、不揮発性の半導体メモリ等により構成され、ＣＰＵ１１で実行される各種処理プログラム、各種データ等を記憶する。これらの各種プログラムは、読み取り可能なプログラムコードの形態で格納され、ＣＰＵ１１は、当該プログラムコードに従った動作を逐次実行する。
【００４０】
ＲＡＭ１６は、ＣＰＵ１１により実行される各種処理において、ＲＯＭ１５から読み出された各種プログラムやデータ、及びパラメータ等を一時的に記憶する記憶領域を形成する。
【００４１】
記憶部１７は、ハードディスク等の記憶装置であり、撮影部１８により生成された医用画像データを記憶する。
【００４２】
撮影部１８は、撮影技師の操作部１２からの指示により、患者を撮影して医用画像データを生成する。
【００４３】
ＣＰＵ１１は、撮影部１８により患者を撮影して得られた画像のデータ信号をＤＩＣＯＭ規格に則ったデジタルデータに変換し、当該医用画像に対応する患者情報や検査情報、検像済フラグ等の付帯情報を付帯させる。検像済フラグとは、対応する医用画像について検像処理を未実施（以下、「未検像」という。）であるか、検像処理を実施済（以下、「検像済」という。）であるかを示すものであり、未検像の場合には「０」、検像済の場合には「１」が設定される。ここでは、全ての医用画像が未検像であるため、検像済フラグは「０」となっている。
【００４４】
また、ＣＰＵ１１は、通信部１４を介して検像装置２０に対して医用画像データを送信させる。そして、検像装置２０が停止中で検像処理を実施不可能な場合には、ＣＰＵ１１は、通信部１４を介してＰＡＣＳ３０に対して医用画像データを送信させる。
【００４５】
検像装置２０は、モダリティ１０により生成された医用画像とその付帯情報を表示し、検像装置２０のユーザである検像者が医用画像及び付帯情報の確認及び修正（検像処理）を行うためのものである。
【００４６】
図３に、検像装置２０の機能的構成を示す。図３に示すように、検像装置２０は、ＣＰＵ２１、操作部２２、表示部２３、通信部２４、ＲＯＭ２５、ＲＡＭ２６、テンポラリメモリ２７等を備えて構成され、各部はバス２８により接続されている。
【００４７】
ＣＰＵ２１は、ＲＯＭ２５に記憶されている各種処理プログラムを読み出し、ＲＡＭ２６内に形成されたワークエリアに展開し、当該プログラムに従って検像装置２０の各部を統括的に制御する。
【００４８】
操作部２２は、カーソルキー、数字入力キー、及び各種機能キー等を備えたキーボードと、マウス等のポインティングデバイスを備えて構成され、キーボードに対するキー操作やマウス操作により入力された指示信号をＣＰＵ２１に出力する。
【００４９】
表示部２３は、ＬＣＤにより構成され、ＣＰＵ２１から入力される表示信号の指示に従って、操作部２２からの入力指示やデータ等を表示する。
【００５０】
通信部２４は、ＬＡＮアダプタ、ルータ、ＴＡ等を備え、通信ネットワークＮを介して接続されたモダリティ１０、ＰＡＣＳ３０、ＲＩＳ４０等の外部機器との間でデータの送受信を行う。
【００５１】
ＲＯＭ２５は、不揮発性の半導体メモリ等により構成され、ＣＰＵ２１で実行される各種処理プログラム、各種データ等を記憶する。これらの各種プログラムは、読み取り可能なプログラムコードの形態で格納され、ＣＰＵ２１は、当該プログラムコードに従った動作を逐次実行する。
【００５２】
ＲＡＭ２６は、ＣＰＵ２１により実行される各種処理において、ＲＯＭ２５から読み出された各種プログラムやデータ、及びパラメータ等を一時的に記憶する記憶領域を形成する。また、ＲＡＭ２６には、検像装置２０において、検像者が作業可能な状態であるか否かを示す検像者フラグが記憶されている。検像装置２０において検像可能な場合（例えば検像者が検像装置２０にログインしている場合）には検像者フラグが「１」に設定され、検像装置２０に電源が入っていて、かつ検像者が作業不可能な場合（例えば検像者が休暇中等）には検像者フラグが「０」に設定される。
【００５３】
テンポラリメモリ２７は、モダリティ１０又はＰＡＣＳ３０から受信した未検像の医用画像データを一時的に保存するためのメモリである。
【００５４】
ＣＰＵ２１は、モダリティ１０から受信した医用画像データについて検像処理を実施可能な場合、具体的には、検像者フラグが「１」の場合には、医用画像データに基づいて、医用画像及び付帯情報を表示部２３に表示させ検像処理に供する。検像者は、表示部２３に表示された医用画像及び付帯情報を確認し、必要に応じて修正する。そして、ＣＰＵ２１は、医用画像データに付帯される検像済フラグを「１」に変更し、通信部２４を介してＰＡＣＳ３０に対して検像処理後の医用画像データを送信させる。
【００５５】
ＣＰＵ２１は、モダリティ１０から受信した医用画像データについて検像処理を実施不可能な場合、具体的には、検像者フラグが「０」の場合には、通信部２４を介してＰＡＣＳ３０に対して未検像の医用画像データを送信させる。この際、ＣＰＵ２１は、当該医用画像データに付帯される検像済フラグが「０」の状態でＰＡＣＳ３０に送信させる。
【００５６】
また、ＣＰＵ２１は、ＰＡＣＳ３０から未検像の医用画像データが送信された場合に、通信部２４により受信した未検像の医用画像データに基づいて、医用画像及び付帯情報を表示部２３に表示させ検像処理に供した後、医用画像データに付帯される検像済フラグを「１」に変更し、通信部２４を介してＰＡＣＳ３０に対して検像処理後の医用画像データを送信させる。
【００５７】
また、ＣＰＵ２１は、ＰＡＣＳ３０から検像依頼が送信された場合に、通信部２４により受信した検像依頼に基づいて、テンポラリメモリ２７から未検像の医用画像データを読み出し、表示部２３に医用画像及び付帯情報を表示させ検像処理に供した後、医用画像データに付帯される検像済フラグを「１」に変更し、通信部２４を介してＰＡＣＳ３０に対して検像処理後の医用画像データを送信させる。検像依頼には、検像対象となる医用画像データの検査情報やシリーズ情報等、画像を特定するための情報（以下、「画像特定情報」という。）が含まれる。
【００５８】
ＰＡＣＳ３０は、医用画像データを保存し、管理する画像管理装置である。
【００５９】
図４に、ＰＡＣＳ３０の機能的構成を示す。図４に示すように、ＰＡＣＳ３０は、ＣＰＵ３１、操作部３２、表示部３３、通信部３４、ＲＯＭ３５、ＲＡＭ３６、記憶装置３７等を備えて構成され、各部はバス３８により接続されている。
【００６０】
ＣＰＵ３１は、ＲＯＭ３５に記憶されている各種処理プログラムを読み出し、ＲＡＭ３６内に形成されたワークエリアに展開し、当該プログラムに従ってＰＡＣＳ３０の各部を統括的に制御する。
【００６１】
操作部３２は、カーソルキー、数字入力キー、及び各種機能キー等を備えたキーボードと、マウス等のポインティングデバイスを備えて構成され、キーボードに対するキー操作やマウス操作により入力された指示信号をＣＰＵ３１に出力する。
【００６２】
表示部３３は、ＬＣＤにより構成され、ＣＰＵ３１から入力される表示信号の指示に従って、操作部３２からの入力指示やデータ等を表示する。
【００６３】
通信部３４は、ＬＡＮアダプタ、ルータ、ＴＡ等を備え、通信ネットワークＮを介して接続されたモダリティ１０、検像装置２０等の外部機器との間でデータの送受信を行う。
【００６４】
ＲＯＭ３５は、不揮発性の半導体メモリ等により構成され、ＣＰＵ３１で実行される各種処理プログラム、各種データ等を記憶する。これらの各種プログラムは、読み取り可能なプログラムコードの形態で格納され、ＣＰＵ３１は、当該プログラムコードに従った動作を逐次実行する。
【００６５】
ＲＡＭ３６は、ＣＰＵ３１により実行される各種処理において、ＲＯＭ３５から読み出された各種プログラムやデータ、及びパラメータ等を一時的に記憶する記憶領域を形成する。
【００６６】
記憶装置３７は、ハードディスク等から構成され、モダリティ１０により生成された未検像の医用画像データ、検像装置２０において検像処理が実施された検像済の医用画像データ、各医用画像データに対応する患者情報、検査情報、検像済フラグ、読影済フラグ等の付帯情報を保存する。読影済フラグとは、対応する医用画像データが読影されたか否かを示すものであり、未読影の場合には「０」、読影済の場合には「１」が設定される。
【００６７】
ＣＰＵ３１は、記憶装置３７に保存されている医用画像データ及びその付帯情報に基づいて、医用画像や医用画像の一覧を表示部３３に表示させる。その際、ＣＰＵ３１は、医用画像データに対応する検像済フラグに基づいて、検像済フラグが「０」の場合、すなわち、表示対象の医用画像が未検像の場合には、医用画像や医用画像の一覧に検像処理が未実施であることを表示させる。
【００６８】
ＣＰＵ３１は、記憶装置３７に未検像の医用画像データが保存されている場合、すなわち、検像済フラグが「０」の医用画像データが保存されている場合に、検像装置２０において検像処理を実施可能か否かを検出する。具体的には、ＣＰＵ３１は、検像装置２０が故障中でないか、電源が入った状態であるか、検像者フラグが「１」であるか等に基づいて、検像装置２０において検像処理を実施可能か否かを検出する。
【００６９】
そして、ＣＰＵ３１は、検像装置２０において検像処理を実施可能であることを検出した場合、検像装置２０のテンポラリメモリ２７に未検像の医用画像データが保存されているときには、通信部３４を介して検像装置２０に対して未検像の医用画像データの検像依頼を送信させ、検像装置２０のテンポラリメモリ２７に未検像の医用画像データが保存されていないときには、通信部３４を介して検像装置２０に対して未検像の医用画像データを送信させる。
【００７０】
次に、医用画像システム１００において行われる処理の概要を説明する。
図５は、医用画像システム１００における通常処理を示すラダーチャートである。この処理は、検像装置２０が稼働中であって、ＲＡＭ２６の検像者フラグが「１」である場合の例である。
【００７１】
図５に示すように、まず、モダリティ１０の撮影部１８により患者が撮影され、医用画像データが生成される（ステップＳ１）。ここで、ＣＰＵ１１により、医用画像データの付帯情報として、患者情報や検査情報、検像済フラグ等が付帯され、検像済フラグは「０」に設定される（ステップＳ２）。
【００７２】
次に、ＣＰＵ１１の制御に従って、通信部１４により検像装置２０に対して医用画像データが送信される（ステップＳ３）。
【００７３】
検像装置２０では、通信部２４により、モダリティ１０から送信された医用画像データが受信され、ＣＰＵ２１により、受信した未検像の医用画像データがテンポラリメモリ２７に一時的に保存される（ステップＳ４）。次に、ＣＰＵ２１により、テンポラリメモリ２７に保存された未検像の医用画像データ、及びＲＩＳ４０から受信したオーダ情報に基づいて、表示部２３に医用画像、付帯情報及びオーダ情報が表示され、検像処理が実施される（ステップＳ５）。検像者は、表示部２３に表示された医用画像がオーダ情報通りのものであるか、診断に適した画質であるか、付帯情報が正しいか等を確認する。そして、必要に応じて、医用画像に対して画像処理が施され、画像の順序、配置が変更される。
【００７４】
ユーザの操作部２２からの操作により検像処理の終了が指示されると、ＣＰＵ２１により、医用画像データの検像済フラグが「１」に変更される（ステップＳ６）。そして、ＣＰＵ２１の制御に従って、通信部２４によりＰＡＣＳ３０に対して検像済の医用画像データが送信される（ステップＳ７）。
【００７５】
ＰＡＣＳ３０では、通信部３４により、検像装置２０から送信された検像済の医用画像データが受信され、ＣＰＵ３１により、受信した検像済の医用画像データが記憶装置３７に保存される（ステップＳ８）。
以上で、通常処理が終了する。
【００７６】
図６は、医用画像システム１００における検像装置停止時処理を示すラダーチャートである。この処理は、検像装置２０が故障中等のため、停止中である状態から開始される（ステップＳ１１）。
【００７７】
図６に示すように、モダリティ１０の撮影部１８により患者が撮影され、医用画像データが生成される（ステップＳ１２）。ここで、ＣＰＵ１１により、医用画像データの付帯情報として、患者情報や検査情報、検像済フラグ等が付帯され、検像済フラグは「０」に設定される（ステップＳ１３）。
【００７８】
次に、ＣＰＵ１１の制御に従って、通信部１４により検像装置２０に対して医用画像データが送信される（ステップＳ１４）。しかし、検像装置２０は停止中であるため、ＣＰＵ１１により、検像装置２０において医用画像データを受け付けられなかったことが認識されると、ＣＰＵ１１の制御に従って、通信部１４により直接ＰＡＣＳ３０に対して医用画像データが送信される（ステップＳ１５）。ここで、医用画像データに付帯されている検像済フラグは「０」のままである。
【００７９】
ＰＡＣＳ３０では、通信部３４により、モダリティ１０から送信された未検像の医用画像データが受信され、ＣＰＵ３１により、受信した未検像の医用画像データが記憶装置３７に保存される（ステップＳ１６）。
【００８０】
その後、ＰＡＣＳ３０のＣＰＵ３１により、検像装置２０が停止中の状態から復旧したか否かが検出される。具体的には、ＣＰＵ３１により、検像装置２０が故障中でないか、電源が入った状態であるか、検像者フラグが「１」であるか等に基づいて、検像装置２０が停止中の状態から復旧したか否かが検出される。
【００８１】
検像装置２０が復旧すると（ステップＳ１７）、ＰＡＣＳ３０のＣＰＵ３１の制御に従って、通信部３４により検像装置２０に対して記憶装置３７に保存されている未検像の医用画像データが送信される（ステップＳ１８）。
【００８２】
検像装置２０では、通信部２４により、ＰＡＣＳ３０から送信された未検像の医用画像データが受信され、ＣＰＵ２１により、受信した未検像の医用画像データがテンポラリメモリ２７に一時的に保存される（ステップＳ１９）。次に、ＣＰＵ２１により、テンポラリメモリ２７に保存された未検像の医用画像データ、及びＲＩＳ４０から受信したオーダ情報に基づいて、表示部２３に医用画像、付帯情報及びオーダ情報が表示され、検像処理が実施される（ステップＳ２０）。検像者は、表示部２３に表示された医用画像がオーダ情報通りのものであるか、診断に適した画質であるか、付帯情報が正しいか等を確認する。そして、必要に応じて、医用画像に対して画像処理が施され、画像の順序、配置が変更される。
【００８３】
ユーザの操作部２２からの操作により検像処理の終了が指示されると、ＣＰＵ２１により、医用画像データの検像済フラグが「１」に変更される（ステップＳ２１）。そして、ＣＰＵ２１の制御に従って、通信部２４によりＰＡＣＳ３０に対して検像済の医用画像データが送信される（ステップＳ２２）。
【００８４】
ＰＡＣＳ３０では、通信部３４により、検像装置２０から送信された検像済の医用画像データが受信され、ＣＰＵ３１により、受信した検像済の医用画像データが記憶装置３７に保存される（ステップＳ２３）。検像済の医用画像データに対応する未検像の医用画像データを検像済の医用画像データで上書きしてもよいし、未検像の医用画像データも合わせて保存してもよい。
以上で、検像装置停止時処理が終了する。
【００８５】
なお、未検像の医用画像データがＰＡＣＳ３０の記憶装置３７に保存中に読影された場合には検像処理を実施する必要がないため、読影済フラグが「１」の場合には、未検像であっても、ステップＳ１８以降の処理は省略される。
【００８６】
図７は、医用画像システム１００における検像者不在時処理を示すラダーチャートである。この処理は、検像装置２０において検像者が休暇中等で不在である状態、すなわち、検像者フラグが「０」の状態から開始される（ステップＳ３１）。
【００８７】
図７に示すように、モダリティ１０の撮影部１８により患者が撮影され、医用画像データが生成される（ステップＳ３２）。ここで、ＣＰＵ１１により、医用画像データの付帯情報として、患者情報や検査情報、検像済フラグ等が付帯され、検像済フラグは「０」に設定される（ステップＳ３３）。
【００８８】
次に、ＣＰＵ１１の制御に従って、通信部１４により検像装置２０に対して医用画像データが送信される（ステップＳ３４）。
【００８９】
検像装置２０では、通信部２４により、モダリティ１０から送信された医用画像データが受信され、ＣＰＵ２１により、受信した未検像の医用画像データがテンポラリメモリ２７に一時的に保存される（ステップＳ３５）。ここで、ＣＰＵ２１により、ＲＡＭ２６の検像者フラグが参照される。検像者フラグが「０」であるため、ＣＰＵ２１の制御に従って、通信部２４によりＰＡＣＳ３０に対して検像済フラグが「０」の状態で未検像の医用画像データが送信される（ステップＳ３６）。
【００９０】
ＰＡＣＳ３０では、通信部３４により、検像装置２０から送信された未検像の医用画像データが受信され、ＣＰＵ３１により、受信した未検像の医用画像データが記憶装置３７に保存される（ステップＳ３７）。
【００９１】
その後、ＰＡＣＳ３０のＣＰＵ３１により、検像装置２０において検像者が作業を開始したか否かが検出される。具体的には、ＣＰＵ３１により、検像装置２０の検像者フラグが「０」から「１」へ変更されたことにより、検像者が作業を開始したことが検出される。
【００９２】
検像装置２０において検像者が作業を開始すると（ステップＳ３８）、ＰＡＣＳ３０のＣＰＵ３１の制御に従って、通信部３４により検像装置２０に対してテンポラリメモリ２７に保存されている未検像の医用画像データの検像依頼が送信される（ステップＳ３９）。
【００９３】
検像装置２０では、通信部２４により、ＰＡＣＳ３０から送信された検像依頼が受信され、ＣＰＵ２１により、検像依頼に含まれる画像特定情報に基づいて、テンポラリメモリ２７に一時的に保存されている未検像の医用画像データの中から検像対象となる医用画像データが特定される。そして、ＣＰＵ２１により、特定された未検像の医用画像データ、及びＲＩＳ４０から受信したオーダ情報に基づいて、表示部２３に医用画像、付帯情報及びオーダ情報が表示され、検像処理が実施される（ステップＳ４０）。検像者は、表示部２３に表示された医用画像がオーダ情報通りのものであるか、診断に適した画質であるか、付帯情報が正しいか等を確認する。そして、必要に応じて、医用画像に対して画像処理が施され、画像の順序、配置が変更される。
【００９４】
ユーザの操作部２２からの操作により検像処理の終了が指示されると、ＣＰＵ２１により、医用画像データの検像済フラグが「１」に変更される（ステップＳ４１）。そして、ＣＰＵ２１の制御に従って、通信部２４によりＰＡＣＳ３０に対して検像済の医用画像データが送信される（ステップＳ４２）。
【００９５】
ＰＡＣＳ３０では、通信部３４により、検像装置２０から送信された検像済の医用画像データが受信され、ＣＰＵ３１により、受信した検像済の医用画像データが記憶装置３７に保存される（ステップＳ４３）。検像済の医用画像データに対応する未検像の医用画像データを検像済の医用画像データで上書きしてもよいし、未検像の医用画像データも合わせて保存してもよい。
以上で、検像者不在時処理が終了する。
【００９６】
なお、未検像の医用画像データがＰＡＣＳ３０の記憶装置３７に保存中に読影された場合には検像処理を実施する必要がないため、読影済フラグが「１」の場合には、未検像であっても、ステップＳ３９以降の処理は省略される。
【００９７】
また、検像装置２０のテンポラリメモリ２７が医用画像データを所定の期間のみ保存するよう設定されている場合であって、検像装置２０において検像者が作業を開始した際にテンポラリメモリ２７に医用画像データが存在しない場合には、ＰＡＣＳ３０から検像装置２０へ未検像の医用画像データを送信すればよい。
【００９８】
次に、各装置における動作を説明する。
図８は、モダリティ１０において実行される処理を示すフローチャートである。
図８に示すように、撮影部１８により患者が撮影され、医用画像データが生成される（ステップＡ１）。そして、ＣＰＵ１１により、医用画像データの付帯情報として、患者情報や検査情報、検像済フラグ等が付帯され、検像済フラグは未検像を示す「０」に設定される（ステップＡ２）。
【００９９】
次に、ＣＰＵ１１の制御に従って、通信部１４により検像装置２０に対して医用画像データが送信される（ステップＡ３）。
【０１００】
検像装置２０が停止中である場合には（ステップＡ４；Ｙｅｓ）、ＣＰＵ１１により、検像装置２０において医用画像データを受け付けられなかったことが認識され、ＣＰＵ１１の制御に従って、通信部１４により直接ＰＡＣＳ３０に対して未検像の医用画像データが送信される（ステップＡ５）。
【０１０１】
一方、ステップＡ４において、検像装置２０が停止中でない場合には（ステップＡ４；Ｎｏ）、そのまま処理が終了する。
【０１０２】
次に、図９を参照して、検像装置２０において実行される処理を説明する。
図９に示すように、通信部２４により、モダリティ１０又はＰＡＣＳ３０から未検像の医用画像データが受信された場合には（ステップＢ１；Ｙｅｓ）、ＣＰＵ２１により、受信した未検像の医用画像データがテンポラリメモリ２７に一時的に保存される（ステップＢ２）。
【０１０３】
ここで、ＣＰＵ２１により、検像装置２０において検像処理を実施可能であるか否かが判断される（ステップＢ３）。具体的には、検像者フラグが「１」であるか否かが判断される。
【０１０４】
検像装置２０において検像処理を実施可能な場合（ステップＢ３；Ｙｅｓ）、すなわち、検像者フラグが「１」の場合には、ＣＰＵ２１により、テンポラリメモリ２７に保存された未検像の医用画像データ、及びＲＩＳ４０から受信したオーダ情報に基づいて、表示部２３に医用画像、付帯情報及びオーダ情報が表示され、検像処理が実施される（ステップＢ４）。検像者は、表示部２３に表示された医用画像がオーダ情報通りのものであるか、診断に適した画質であるか、付帯情報が正しいか等を確認する。そして、必要に応じて、医用画像に対して画像処理が施され、画像の順序、配置が変更される。
【０１０５】
ユーザの操作部２２からの操作により検像処理の終了が指示されると、ＣＰＵ２１により、医用画像データの検像済フラグが「１」に変更される（ステップＢ５）。そして、ＣＰＵ２１の制御に従って、通信部２４によりＰＡＣＳ３０に対して検像済の医用画像データが送信される（ステップＢ６）。
【０１０６】
ステップＢ３において、検像装置２０において検像処理を実施不可能な場合（ステップＢ３；Ｎｏ）、すなわち、検像者フラグが「０」の場合には、ＣＰＵ２１の制御に従って、通信部２４によりＰＡＣＳ３０に対して未検像の医用画像データが送信される（ステップＢ７）。このとき、検像済フラグは「０」の状態のままである。
【０１０７】
その後、検像者が作業を開始し（ステップＢ８；Ｙｅｓ）、検像者フラグが「１」に変更されると、ＰＡＣＳ３０の通信部３４により検像装置２０に対してテンポラリメモリ２７に保存されている未検像の医用画像データの検像依頼が送信される。
【０１０８】
通信部２４により、ＰＡＣＳ３０から送信された検像依頼が受信されると（ステップＢ９；Ｙｅｓ）、ＣＰＵ２１により、検像依頼に含まれる画像特定情報に基づいて、テンポラリメモリ２７に一時的に保存されている未検像の医用画像データの中から検像対象となる医用画像データが特定される。そして、ＣＰＵ２１により、特定された未検像の医用画像データ、及びＲＩＳ４０から受信したオーダ情報に基づいて、表示部２３に医用画像、付帯情報及びオーダ情報が表示され、検像処理が実施される（ステップＢ４）。以下同様に、ステップＢ５、ステップＢ６の処理が行われる。
【０１０９】
ステップＢ９において、検像依頼が受信されない場合には（ステップＢ９；Ｎｏ）、そのまま処理が終了する。
【０１１０】
次に、図１０を参照して、ＰＡＣＳ３０において実行される処理を説明する。
図１０に示すように、まず、ＣＰＵ３１により、記憶装置３７に未検像かつ未読影の医用画像データ、すなわち、医用画像データに付帯されている検像済フラグが「０」かつ読影済フラグが「０」の医用画像データが保存されているか否かが判断される（ステップＣ１）。
【０１１１】
記憶装置３７に未検像かつ未読影の医用画像データが保存されている場合には（ステップＣ１；Ｙｅｓ）、ＣＰＵ３１により、検像装置２０において検像処理を実施可能か否かが判断される（ステップＣ２）。具体的には、停止中であった検像装置２０が復旧したか否か、検像者フラグが「１」に変更されたか否かが判断される。
【０１１２】
ステップＣ１において、記憶装置３７に未検像かつ未読影の医用画像データが保存されていない場合（ステップＣ１；Ｎｏ）、又は、ステップＣ２において、検像装置２０において検像処理を実施不可能な場合には（ステップＣ２；Ｎｏ）、ステップＣ１に戻る。
【０１１３】
ステップＣ２において、検像装置２０において検像処理を実施可能な場合には（ステップＣ２；Ｙｅｓ）、検像装置２０に対してテンポラリメモリ２７に未検像の医用画像データが保存されているか否かの問い合わせが行われる（ステップＣ３）。検像装置２０のテンポラリメモリ２７に未検像の医用画像データが保存されている場合には（ステップＣ３；Ｙｅｓ）、ＣＰＵ３１の制御に従って、通信部３４により検像装置２０に対してテンポラリメモリ２７に保存されている未検像の医用画像データの検像依頼が送信される（ステップＣ４）。
【０１１４】
検像装置２０のテンポラリメモリ２７に未検像の医用画像データが保存されていない場合には（ステップＣ３；Ｎｏ）、ＣＰＵ３１の制御に従って、通信部３４により検像装置２０に対して記憶装置３７に保存されている未検像の医用画像データが送信される（ステップＣ５）。
【０１１５】
ステップＣ４又はステップＣ５の後、検像装置２０において検像処理が実施される。そして、通信部３４により、検像装置２０から送信された検像済の医用画像データが受信されると（ステップＣ６；Ｙｅｓ）、ＣＰＵ３１により、受信した検像済の医用画像データが記憶装置３７に保存される（ステップＣ７）。
以上で、ＰＡＣＳ３０における処理が終了する。
【０１１６】
図１１に、ＰＡＣＳ３０の記憶装置３７に保存されている医用画像データの一覧の表示画面例を示す。この画面は、ＰＡＣＳ３０の表示部３３又は通信ネットワークＮを介して接続されたＰＣ（Personal Computer）等の表示部に表示される。医用画像データの一覧には、医用画像データの付帯情報として、患者ＩＤ、患者氏名、シリーズ数、画像枚数、検査日、検査時刻、モダリティ、性別、検像状態（「未検像」又は「検像済」）及び読影状態（「未読影」又は「読影済」）が表示される。また、各医用画像データに基づいて医用画像を表示する場合にも、その医用画像について検像状態を合わせて表示する。このため、医用画像の読影を行う読影医は、各医用画像が未検像であるか検像済であるかを認識することができるので、未検像の場合には、画質が保証されていない画像として、より注意を払って読影を行うことができる。
【０１１７】
以上説明したように、医用画像システム１００によれば、モダリティ１０から検像装置２０へ医用画像データを送信し、検像装置２０が停止中で検像処理を実施不可能な場合には、モダリティ１０から直接ＰＡＣＳ３０へ医用画像データを送信するので、検像装置２０において検像処理を実施不可能な場合であっても、その後の処理を円滑に行うことができる。読影者は、未検像の画像品質が保証されていない画像ではあるものの、医用画像を即時に入手し、読影することができる。モダリティ１０からＰＡＣＳ３０へ医用画像データを送信する際に、医用画像データに付帯される検像済フラグが「０」であるため、この情報に基づいて、当該医用画像データが未検像であることを認識することができる。
【０１１８】
また、モダリティ１０から検像装置２０へ医用画像データを送信し、検像装置２０が稼働中ではあるが検像処理を実施不可能な場合には、検像装置２０からＰＡＣＳ３０へ医用画像データを送信するので、検像装置２０において検像処理を実施不可能な場合であっても、その後の処理を円滑に行うことができる。読影者は、未検像の画像品質が保証されていない画像ではあるものの、医用画像を即時に入手し、読影することができる。検像装置２０からＰＡＣＳ３０へ医用画像データを送信する際に、医用画像データに付帯される検像済フラグが「０」であるため、この情報に基づいて、当該医用画像データが未検像であることを認識することができる。
【０１１９】
また、ＰＡＣＳ３０に保存されている医用画像データに基づいて医用画像又は医用画像の一覧を表示する場合に、未検像の医用画像については、未検像であることを表示するので、読影者に注意を喚起することができる。このため、読影者は、画像品質が保証されていないことを前提として、読影を行うことができる。
【０１２０】
また、検像装置２０において検像処理を実施可能となった場合には、ＰＡＣＳ３０から検像装置２０に未検像の医用画像データ又は検像依頼を送信するので、一旦は未検像画像としてＰＡＣＳ３０へ送信された画像であっても、検像装置２０において検像処理を実施することができる。
【０１２１】
なお、上記各実施の形態における記述は、本発明に係る医用画像システムの例であり、これに限定されるものではない。システムを構成する各装置の細部構成及び細部動作に関しても本発明の趣旨を逸脱することのない範囲で適宜変更可能である。
【０１２２】
例えば、上記実施の形態では、検像装置２０がモダリティ１０から医用画像データを受信し、検像者が休暇中等で作業不可能な場合には、検像装置２０からＰＡＣＳ３０へ医用画像データを送信することとしたが、検像装置２０が停止中の場合と同様、モダリティ１０から直接ＰＡＣＳ３０へ医用画像データを送信することとしてもよい。
【図面の簡単な説明】
【０１２３】
【図１】本発明の実施の形態における医用画像システムのシステム構成図である。
【図２】モダリティの機能的構成を示すブロック図である。
【図３】検像装置の機能的構成を示すブロック図である。
【図４】ＰＡＣＳの機能的構成を示すブロック図である。
【図５】通常処理を示すラダーチャートである。
【図６】検像装置停止時処理を示すラダーチャートである。
【図７】検像者不在時処理を示すラダーチャートである。
【図８】モダリティにおいて実行される処理を示すフローチャートである。
【図９】検像装置において実行される処理を示すフローチャートである。
【図１０】ＰＡＣＳにおいて実行される処理を示すフローチャートである。
【図１１】ＰＡＣＳの記憶装置に保存されている医用画像データの一覧の表示画面例である。
【符号の説明】
【０１２４】
１０  モダリティ
１１  ＣＰＵ
１２  操作部
１３  表示部
１４  通信部
１５  ＲＯＭ
１６  ＲＡＭ
１７  記憶部
１８  撮影部
１９  バス
２０  検像装置
２１  ＣＰＵ
２２  操作部
２３  表示部
２４  通信部
２５  ＲＯＭ
２６  ＲＡＭ
２７  テンポラリメモリ
２８  バス
３０  ＰＡＣＳ
３１  ＣＰＵ
３２  操作部
３３  表示部
３４  通信部
３５  ＲＯＭ
３６  ＲＡＭ
３７  記憶装置
３８  バス
４０  ＲＩＳ
１００  医用画像システム
Ｎ  通信ネットワーク
【図１】
2008228898.tif 000003
【図２】
2008228898.tif 000004
【図３】
2008228898.tif 000005
【図４】
2008228898.tif 000006
【図５】
2008228898.tif 000007
【図６】
2008228898.tif 000008
【図７】
2008228898.tif 000009
【図８】
2008228898.tif 000010
【図９】
2008228898.tif 000011
【図１０】
2008228898.tif 000012
【図１１】
2008228898.tif 000013